(57)【要約】【課題】ケース自体に耐久性があるとともにゲームフィールド上でカードが収容されたカードスリーブを円滑に動かすことができ、しかもカードスリーブを安定して重ねることができるカード移動用ハードスリーブを提供する。【解決手段】スリーブ本体２０と、両側端縁２，３より構成され、スリーブ本体２０の表側には長方形で上下端が半円状のカード取り出し用カードスリット部８が設けられ、スリーブ本体２０はカード収容空間２２を有し、上端にはカード挿入用の開口部２１を有している。側端縁２，３の表裏には１つのグループとなる貫通孔５，半球状の嵌合溝４，６が形成されている。貫通孔５には嵌合ボールが回転可能に嵌入され、ボールの一部が側端縁２，３の表裏から突出している。そして表裏の嵌合溝４，６の位置はそれぞれ対面する位置に配置され、このようなグループが６個配置されている。【選択図】図１
2008131976.tif 000002
【特許請求の範囲】
【請求項１】
カードを収容する透明体の矩形状硬質ケースであって、
相互に対面する側端縁の表裏に沿って一列に複数の嵌合用溝を有し、
前記複数の嵌合用溝の１つを貫通孔となし、該貫通孔に球体を回転可能に嵌入したことを特徴とするカード移動用ハードスリーブ。
【請求項２】
前記相互に対面する側端縁は、矩形状硬質ケースの長手方向であり、短手方向にはカード収容のための開口を有することを特徴とする請求項１記載のカード移動用ハードスリーブ。
【請求項３】
前記側端縁の表裏に有する複数の嵌合用溝はそれぞれ３個であって、表裏の３個の嵌合用溝はそれぞれ対面した位置に配置され、その中心に配置された嵌合用溝を貫通孔にして球体を回転可能に嵌入したことを特徴とする請求項１または２記載のカード移動用ハードスリーブ。
【請求項４】
前記貫通孔を含めた複数の嵌合用溝は所定の個数で１グループとなし、このグループを側端縁に複数配置したことを特徴とする請求項１，２または３記載のカード移動用ハードスリーブ。
【請求項５】
前記矩形状硬質ケースは硬質プラスチック材であることを特徴とする請求項１，２，３または４記載のカード移動用ハードスリーブ。
【発明の詳細な説明】
【技術分野】
【０００１】
本発明は、ゲームカードをゲームフィールド内で自在に移動させるためのカード移動用ハードスリーブに関する。
【背景技術】
【０００２】
ゲームカードを保護するケースとして各種ビニール性のカードスリーブが用いられており、従来は種々の形状のものが提案されている。
特許文献１は遊戯カードホルダに関するもので、対戦カード遊戯装置に用いる複数の遊戯カードをカードリーダにスキャン入力するためのものである。
これは遊戯カードより若干大きい形状の長方形と、この長方形に連接する長方形の長手方向中央に舌片部を設けた略透明で腰の強い素材からなる台座部と、台座部に遊戯カードを配置して遊戯カードをカバーするために台座部の長方形と同一大きさで台座部の舌片部方向のみ開口して袋状に長方形の３辺の縁を溶着した略透明で滑りやすい素材からなるカバー部とから構成されており、カードスリーブを複数枚重ねあわせてカードスリーブの舌片部の略中央位置で各カードスリーブが回転可能に留められたものである。
【０００３】
各カードスリーブを束ねて中央位置で回転させてスキャンするもので、個別のカードスリーブはすべりやすい素材を用いているものの、直に透明面に接するためカードスリーブが傷むことが予想される。また、このカードスリーブは複数枚のカードをカードスリーブにそれぞれ入れていちまい１枚をスキャンするものであり、ゲームフィールド面に多数カードを並べてゲームを行う場合には用いることができないものである。
【特許文献１】特開２００５−１０４１２１号
【発明の開示】
【発明が解決しようとする課題】
【０００４】
また、上記のように重ねてスキャンするタイプではない従来のカードスリーブでは様々なジャンルのコレクション性のあるカード保護のために使用するものがあるが、ゲームフィールド内を自由に動かそうとする遊びの場合には、スリーブ自体が摩擦によって抵抗となって動かしにくくなるという欠点があった。すなわち、カードを自在に移動するゲームでは、従来のスリーブ構造では耐久力がなく、本来のカードの保護としての機能が損なわれるものであった。
さらに、従来のカードスリーブ構造では、スリーブをパッケージから出して重ねようとすると、スリーブが傷んでいないため崩れやすいという問題があった。
【０００５】
本発明の目的は、ケース自体に耐久性があるとともにゲームフィールド上でカードが収容されたカードスリーブを円滑に動かすことができ、しかもカードスリーブを安定して重ねることができるカード移動用ハードスリーブを提供することにある。
【課題を解決するための手段】
【０００６】
前記目的を達成するために本発明の請求項１は、カードを収容する透明体の矩形状硬質ケースであって、相互に対面する側端縁の表裏に沿って一列に複数の嵌合用溝を有し、前記複数の嵌合用溝の１つを貫通孔となし、該貫通孔に球体を回転可能に嵌入したことを特徴とする。
本発明の請求項２は、請求項１記載の発明において前記相互に対面する側端縁は、矩形状硬質ケースの長手方向であり、短手方向にはカード収容のための開口を有することを特徴とする。
本発明の請求項３は、請求項１または２記載の発明において前記側端縁の表裏に有する複数の嵌合用溝はそれぞれ３個であって、表裏の３個の嵌合用溝はそれぞれ対面した位置に配置され、その中心に配置された嵌合用溝を貫通孔にして球体を回転可能に嵌入したことを特徴とする。
本発明の請求項４は、請求項１，２または３記載の発明において前記貫通孔を含めた複数の嵌合用溝は所定の個数で１グループとなし、このグループを側端縁に複数配置したことを特徴とする。
本発明の請求項５は、請求項１，２，３または４記載の発明において前記矩形状硬質ケースは硬質プラスチック材であることを特徴とする。
【発明の効果】
【０００７】
上記構成によれば、ボールが直接ゲームフィールド面に当たって移動させることができるため、カード保護のスリーブの耐久性が向上し、しかもゲームフィールド面を円滑に動かすことができる。また、スリーブにいれた状態でカードを何枚重ねても安定して固定できるという利点がある。さらに多少乱暴に扱っても、従来のスリーブに比べカードを傷めることなく使用することができる。
【発明を実施するための最良の形態】
【０００８】
以下、図面を参照して本発明の実施の形態をさらに詳しく説明する。  
図１は、本発明によるカード移動用ハードスリーブの実施の形態を示す図で、（ａ）は正面図，（ｂ）はＡ−Ａ断面図，（ｃ）はＢ−Ｂ断面図である。
ハードスリーブ１は、透明の硬質プラスチック材が用いられ、スリーブ本体２０と、両側端縁２，３より構成されている。スリーブ本体２０の表側には長方形で上下端が半円状のカード取出用カードスリット部８が設けられている。スリーブ本体２０はカード収容空間２２を有し、上端にはカード挿入用の開口部２１を備えている。
【０００９】
側端縁２，３の表裏の中央付近には１つのグループとなる貫通孔５，半球状の嵌合溝４，６が形成されている。貫通孔５には嵌合ボール７が回転可能に嵌入され、その一部が側端縁２，３の表裏から突出している。そして表裏の嵌合溝４，６の位置はそれぞれ対面する位置に配置されている。
このような配置関係で他のグループを形成する、回転可能にボール１２を嵌合する貫通孔１０および嵌合溝９，１１が側端縁２，３の上側付近に配置され、さらに他のグループを形成する、回転可能にボール１６を嵌合する貫通孔１４および嵌合溝１３，１５が側端縁２，３の下側付近にそれぞれ配置されている。
【００１０】
図２は、側端縁部分の嵌合溝および嵌合ボールの詳細を説明するための図である。
嵌合溝と貫通孔との距離をｄとすると、中央のグループから上および下までのグループまでの距離を４ｄにしてある。
このような配置にすることによりハードスリーブを重ねる場合には少なくとも側端縁の２箇所の位置で嵌合ボールと嵌合溝が嵌合する。
【００１１】
図３は、本発明によるカード移動用ハードスリーブの使用状態を説明するための断面図で、複数枚重ね合わせた状態を示している。
最も上部のハードスリーブ１ａの中央の嵌合ボール７ａの突出部（円弧部分）は２番目のハードスリーブ１ｂの嵌合溝４ｂ1 に嵌合し、さらに２番目のハードスリーブ１ｂの嵌合ボール７ｂの突出部が３番目のハードスリーブ１ｃの嵌合溝６ａ3 に嵌合することにより多数のハードスリーブを交互にずらして重ね合わせることができる。嵌合ボールで位置が固定されるので、整列して重ね、しかも前後方向にスライドしてずれるようなことがない。
【００１２】
図４は、ゲーム機でカードを収容したハードスリーブを配置した例を説明するための図である。ゲームフィールド面にカードを収容したハードスリーブを多数配置する場合、嵌合ボールがフィールド面と接して回転するため、フィールド面を円滑に移動させて目的の位置に配置することができる。ハードスリーブがフィールド面に直接接することはないため、摩擦でハードスリーブが磨耗することがない。また、フィールド面で多数枚重ねる場合も、ボールと嵌合溝が嵌合するため、積み重ねた多数のハードスリーブが崩れることもない。したがってプレイヤはカードをハードスリーブに収容したまま、カード多数枚を同時に用いるゲームをストレスなく楽しむことが可能となる。
【００１３】
以上、両側端縁に嵌合ボール，嵌合溝からなるグループ６個（表または裏）を配置する例を説明したが、グループの数はこの数に限定されるものではなくこれ以上多い数であっても少ない数であってもよい。また、１つのグループとして中央に嵌合ボールを設け、その前後に嵌合溝を配置した例を示したが、グループを構成する嵌合溝の数は２個以上であってもよい。
【産業上の利用可能性】
【００１４】
カードゲームに用いるカードを移動し保護するためのハードスリーブである。
【図面の簡単な説明】
【００１５】
【図１】本発明によるカード移動用ハードスリーブの実施の形態を示す図で、（ａ）は正面図および背面図，（ｂ）はＡ−Ａ断面図，（ｃ）はＢ−Ｂ断面図である。
【図２】側端縁部分の嵌合溝および嵌合ボールの詳細を説明するための図である。
【図３】本発明によるカード移動用ハードスリーブの使用状態を説明するための断面図で、複数枚重ね合わせた状態を示している。
【図４】ゲーム機でカードを収容したハードスリーブを配置した例を説明するための図である。
【符号の説明】
【００１６】
１  ハードスリーブ  
２，３  側端縁  
４，６，９，１１，１３，１５  嵌合溝（半球溝）  
５，１０，１４  貫通孔  
７，１２，１６  嵌合ボール
８  カードスリット部
２０  スリーブ本体
２１  開口部
２２  カード収容空間
【図１】
2008131976.tif 000003
【図２】
2008131976.tif 000004
【図３】
2008131976.tif 000005
【図４】
2008131976.tif 000006